(57)【要約】【課題】  撮像状態を切換えることができる撮像装置を提供する。【解決手段】  プリズム光学系２１の射出面６３と撮像素子２２との間に、光学部材８０が出入り可能に配置されている。光学部材８０は、駆動機構８１によって、撮像素子２２に対向する挿入位置と、撮像素子２２と対向しない退避位置とにわたって移動させることができる。光学部材８０の一例は、屈折率が１よりも大きい光学板ガラスである。光学部材８０を撮像素子２２と射出面６３との間に挿入すると、プリズム光学系２１の焦点が第１の撮影状態に適した位置に形成される。光学部材８０を撮像素子２２と射出面６３との間から退避させると、プリズム光学系２１の焦点が第２の撮影状態に適した位置に移動する。【選択図】    図５
2006119298.tif 000002
【特許請求の範囲】
【請求項１】
入射面と射出面および自由曲面形状の反射面を有するプリズム光学系と、
前記プリズム光学系の射出側に配置された撮像素子と、
前記撮像素子と前記射出面との間に配置され、前記プリズム光学系の射出光軸を横切る方向に移動可能な光学部材と、
前記光学部材を前記撮像素子に対向する挿入位置と該撮像素子に対向しない退避位置とにわたって移動させる駆動機構と、
を具備したことを特徴とする撮像装置。
【請求項２】
請求項１に記載の撮像装置において、前記光学部材が前記挿入位置にあるとき前記プリズム光学系の焦点が前記撮像素子に対して第１の位置に形成され、前記光学部材が前記退避位置にあるとき前記焦点が前記射出面寄りの第２の位置に移動することを特徴とする撮像装置。
【請求項３】
筐体と、
前記筐体に収容され、それぞれが入射面と射出面および自由曲面形状の反射面を有する第１および第２のプリズムを含むプリズム光学系と、
前記第２のプリズムの射出側に配置された撮像素子と、
前記撮像素子と前記第２のプリズムの射出面との間に配置され、前記第２のプリズムの射出光軸を横切る方向に移動可能な光学部材と、
前記光学部材を前記撮像素子に対向する挿入位置と該撮像素子に対向しない退避位置とにわたって移動させる駆動機構と、
を具備したことを特徴とする撮像装置。
【請求項４】
請求項３に記載の撮像装置において、前記光学部材が前記挿入位置にあるとき前記プリズム光学系の焦点が前記撮像素子に対して第１の位置に形成され、前記光学部材が前記退避位置にあるとき前記焦点が前記２のプリズムの射出面寄りの第２の位置に移動することを特徴とする撮像装置。
【請求項５】
請求項２または４に記載の撮像装置において、前記第１の位置は、撮像すべき物体の位置が所定の位置から略無限遠までの間にある場合に対応して撮像を行うための標準撮像位置であり、前記第２の位置は、撮像すべき物体の位置が前記所定の位置よりも近い場合に対応して撮像を行うためのマクロ撮像位置であることを特徴とする撮像装置。
【請求項６】
請求項３に記載の撮像装置において、前記駆動機構は、前記射出光軸に対し直角方向に移動可能な移動部材と、
前記移動部材を前記方向に駆動するアクチュエータと、
を有することを特徴とする撮像装置。
【請求項７】
請求項６に記載の撮像装置において、前記移動部材が前記第１のプリズムと第２のプリズムが並ぶ方向に延びていて、該移動部材が前記アクチュエータによって前記射出光軸に対し直角方向に移動することを特徴とする撮像装置。
【請求項８】
請求項７に記載の撮像装置において、前記アクチュエータがモータであり、該モータによって回転するギヤを有する駆動力伝達機構を介して前記移動部材が移動することを特徴とする撮像装置。
【請求項９】
請求項８に記載の撮像装置において、前記第１のプリズムが該プリズムの入射光軸に対して傾斜した反射面を有し、
該反射面と前記筐体の内壁との間に形成される空間に前記モータが収容されていることを特徴とする撮像装置。
【請求項１０】
請求項３に記載の撮像装置において、前記駆動機構は、前記射出光軸に対し直角方向に移動可能なスライド部材と、
前記スライド部材を前記方向に駆動するステータ部と、
を有するリニアアクチュエータであることを特徴とする撮像装置。
【請求項１１】
請求項３に記載の撮像装置において、前記光学部材と前記駆動機構が、前記第１のプリズムの入射面側から見た前記プリズム光学系の投影面積の領域内に配置されていることを特徴とする撮像装置。
【請求項１２】
請求項３に記載の撮像装置において、前記駆動機構は、前記筐体に回動可能に支持され前記光学部材を取付けたアームと、
前記筐体に配置されて前記アームを前記挿入位置と前記退避位置とにわたって回動させるモータと、
を有することを特徴とする撮像装置。
【請求項１３】
請求項３に記載の撮像装置において、前記駆動機構は、前記筐体に回動可能に支持され前記光学部材を取付けた第１のアームと、
前記光学部材以外の光学機能部品を取付けた第２のアームと、
前記筐体に配置されて前記第１および第２のアームを前記挿入位置と前記退避位置とにわたって回動させるモータと、
を有することを特徴とする撮像装置。
【発明の詳細な説明】
【技術分野】
【０００１】
本発明は、例えばデジタルカメラやカメラ付携帯電話等に用いることができる撮像装置に関する。
【背景技術】
【０００２】
デジタルカメラやカメラ付携帯電話に使用可能な小型の撮像装置として、偏心光学系を使用した撮像装置が提案されている。例えば自由曲面等からなるプリズムを使用する撮像光学系を備えた撮像装置が下記の特許文献１〜３に記載されている。
【０００３】
これらの特許文献１〜３に記載されている技術の狙いは、プリズムを使用して撮像光学系を形成し、そのプリズムの光入射面や、光射出面、あるいは反射面に自由曲面を使用することによって、コンパクトでかつ画質の良い画像を得ることができる点である。特に、特許文献２（特開２００２−１９６２４３号公報）や特許文献３（特開２００３−８４２００号公報）では、２個のプリズムを組合わせ、物体に近い方の第１プリズムの光入射面、反射面、光射出面、および撮像面に近い方の第２プリズムの光入射面、二つの反射面、光射出面、の合計７面の全てに自由曲面を使用することが記載されている。
【０００４】
このような光学系の特徴としては、  
（１）３面ある反射面はパワーを有する自由曲面を使用しているが、これらの反射面はレンズ等の屈折光学系に対して、大きなパワーを得ることができると同時に色収差の影響を受けない。
【０００５】
（２）コンパクトな空間内に７面の光学面を有することができる。従って限られた空間内に光学要素を凝縮して設定することができる。  
（３）光学性能を高めるには光学系全体の光路長をある程度長くすることが望ましいが、このようなプリズム光学系を使用することにより、光路を折り曲げていることによって、光路長は長いが全体の大きさをコンパクトにすることができる。
【０００６】
以上述べたコンパクトな撮像装置において、撮像光学系から被写体までの距離が数ｃｍ〜数１０ｃｍのマクロ撮影を行うに場合には、撮像光学系を標準撮像位置からマクロ撮像位置に切換えることが望まれる。この明細書で言う標準撮像位置とは、至近距離から無限遠までほぼピントが合うパンフォーカスの撮像状態を意味する。マクロ撮像位置は、前記至近距離よりもさらに被写体までの距離が短い超至近領域での撮影に適した撮像状態を意味する。
【０００７】
共軸光学系の撮像装置では、例えば下記特許文献４に記載されているカメラ付き携帯電話のように、標準撮像位置とマクロ撮像位置とを切換えるために、共軸光学系レンズを光軸方向に移動させる機構が考えられている。
【特許文献１】特開平１１−３２６７６６号公報
【特許文献２】特開２００２−１９６２４３号公報
【特許文献３】特開２００３−８４２００号公報
【特許文献４】特開２００２−１０７６１２号公報
【発明の開示】
【発明が解決しようとする課題】
【０００８】
しかし以上述べたコンパクトな撮像装置では、光学系を移動させるための機構を小さな撮像装置の内部に組込むことが難しい。また、移動可能な小形の光学系を撮像素子に対して所定の位置に正確に位置決めすることに格別な配慮が必要である。
【０００９】
例えば特許文献４に記載されているマクロ撮影機構では、マクロ撮影時に像の拡大とピント合わせのために、複数のレンズを光軸方向に移動させる精密な駆動機構と制御回路が必要である。また、レンズを光軸方向に移動させる構造は撮像装置が大形化し、コストも高くなる傾向がある。
【００１０】
従ってこの発明の目的は、自由曲面形状の反射面を有するプリズムを用いた小形の光学系において、比較的簡単な構成により撮像状態を切換えることができる撮像装置を提供することにある。
【課題を解決するための手段】
【００１１】
第１の観点に基く本発明の撮像装置は、入射面と射出面および自由曲面形状の反射面を有するプリズム光学系と、前記プリズム光学系の射出側に配置された撮像素子と、前記撮像素子と前記射出面との間に配置され、前記プリズム光学系の射出光軸を横切る方向に移動可能な光学部材と、前記光学部材を前記撮像素子に対向する挿入位置と該撮像素子に対向しない退避位置とにわたって移動させる駆動機構とを具備している。
【００１２】
第２の観点に基く本発明の撮像装置は、筐体と、前記筐体に収容され、それぞれが入射面と射出面および自由曲面形状の反射面を有する第１および第２のプリズムを含むプリズム光学系と、前記第２のプリズムの射出側に配置された撮像素子と、前記撮像素子と前記第２のプリズムの射出面との間に配置され、前記第２のプリズムの射出光軸を横切る方向に移動可能な光学部材と、前記光学部材を前記撮像素子に対向する挿入位置と該撮像素子に対向しない退避位置とにわたって移動させる駆動機構とを具備している。
【発明の効果】
【００１３】
本発明によれば、プリズム光学系の射出面と撮像素子との間に、例えば板ガラス等の光学部材を出し入れするという比較的簡単な構成により、撮像状態（例えば標準撮像位置とマクロ撮像位置）を切換えることができる。本発明の駆動機構は、前記光学部材を射出光軸を横切る方向に移動させるだけでよいため、プリズム光学系を光軸方向に移動させる方式と比較して構造が簡単で制御が容易であり、しかも小形に構成することができる。
【発明を実施するための最良の形態】
【００１４】
以下に本発明の第１の実施形態について、図１から図７を参照して説明する。  
図１は撮像用機器の一例としてのデジタルカメラ１を示し、図２はその内部を示している。図１に示されるように、デジタルカメラ１のハウジング２に、レリーズボタン３やフラッシュ４、ファインダ光学系５、撮像光学系のカバーガラス６等が設けられている。
【００１５】
図２に示すように、ハウジング２の内部に、撮像装置１０と、画像処理回路１１と、記録部１２などが収容されている。画像処理回路１１は、撮像装置１０によって得られる電気信号に所定の電気的処理を施すことにより、画像データを得るものである。記録部１２は、画像処理回路１１からの画像データを記録媒体に記録する。ハウジング２の背面に画像モニタ１３が設けられている。
【００１６】
図３に示すように撮像装置１０は筐体２０を備えている。筐体２０の内部に偏心光学系を構成するプリズム光学系２１（図４に示す）が収容されている。図５は撮像装置１０の内部を示している。この撮像装置１０は、プリズム光学系２１の結像面に配置されたＣＣＤ等の撮像素子２２と、基板２３が固定された枠部材（固定枠）２４などを含んでいる。基板２３の所定位置に前記撮像素子２２が実装されている。筐体２０の入射側の開口部（入射窓）２５に前記カバーガラス６が装着されている。筐体２０の射出側の開口部にフィルタ等の光学部材として機能するカバーガラス２６が装着されている。
【００１７】
図５に示すように、筐体２０の一部２０ａを枠部材２４に嵌合させ、遮光性と防塵機能を兼ねる黒色系の接着剤２７によって両者が互いに固定され、筐体２０の内側に、密閉された防塵空間が構成されている。筐体２０と枠部材２４の材料は、接着剤２７に対する接着性が良好なポリカーボネート等の合成樹脂である。
【００１８】
プリズム光学系２１は、光学素子として機能する第１のプリズム３１および第２のプリズム３２と、絞り部材３３とを有している。絞り部材３３は、絞り孔３４が形成された絞り部３６と、筐体２０の天井壁２０ｂ（図５に示す）に固定される取付部３７とを有している。絞り孔３４は円形であり、プリズム３１，３２を通る光束を制限する機能を担っている。絞り部材３３の一方の面に第１のプリズム３１が固定され、絞り部材３３の他方の面に第２のプリズム３２が固定されている。
【００１９】
第１のプリズム３１は、入射面５０と、回転非対称で１つの対称面を有する自由曲面形状の反射面５１と、射出面５２とを有する偏心プリズムである。反射面５１には、例えばアルミニウム蒸着等によるコーティング層５４が形成されている。
【００２０】
第２のプリズム３２は、入射面６０と、２つの反射面６１，６２と、射出面６３とを有する偏心プリズムである。２つの反射面６１，６２のうち少なくとも一方は回転非対称で１つの対称面を有する自由曲面形状をなしている。これら反射面６１，６２に、例えばアルミニウム蒸着等によるコーティング層６５，６６が形成されている。
【００２１】
図５に示すように、入射光軸λ１に沿って入射側の開口部２５から第１のプリズム３１に入射した光束は、第１のプリズム３１の反射面５１で反射し、射出面５２から入射面６０を経て第２のプリズム３２に入射する。そして反射面６１，６２にて反射し、射出光軸λ２に沿って射出面６３からカバーガラス２６を経て、撮像素子２２にて結像する。入射光軸λ１と射出光軸λ２とは略平行である。
【００２２】
絞り部材３３の取付部３７に、凸部（ボス部）７０が形成されている。筐体２０の天井壁２０ｂに孔７２が形成されている。この孔７２に凸部７０を挿入し、接着剤等の固定手段によって、絞り部材３３の取付部３７が筐体２０の天井壁２０ｂに固定される。
【００２３】
図３に示すように、筐体２０の両側壁２０ｃにそれぞれ開口部７５が形成されている。これらの開口部７５に供給される接着剤７６によって、第１および第２のプリズム３１，３２の両側面が筐体２０の両側壁２０ｃに固定される。
【００２４】
図５に示すように、第２のプリズム３２の射出面６３と撮像素子２２との間に、本発明で言う光学部材８０が出入り可能に配置されている。光学部材８０の一例は、光学的に透明な平板光学ガラスである。なお、光学部材８０は透明な合成樹脂製からなるものでもよい。要するに光学部材８０は、屈折率が１よりも大きい透明な材料からなるものであればよい。光学部材８０と撮像素子２２との間に前記カバーガラス２６が配置されている。
【００２５】
光学部材８０は駆動機構８１によって、図５に矢印Ｍ１，Ｍ２で示す方向に往復移動することができるようになっている。すなわちこの光学部材８０は、プリズム光学系２１の射出光軸λ２を横切る方向（射出光軸λ２に対し直角な方向）に移動する。駆動機構８１は、移動体８５と、移動体８５を移動させるモータ８６と、駆動力伝達系８７などを含んでいる。移動体８５に光学部材８０が取付けられている。移動体８５は、枠部材２４に設けられた支持体９０，９１によって、前記矢印Ｍ１，Ｍ２方向に移動できるように支持されている。
【００２６】
一例として、支持体９０，９１のそれぞれの端部９０ａ，９１ａを、移動体８５に形成された長孔９２，９３（図６に示す）に挿入し、長孔９２，９３に沿って移動体８５が直線方向に移動できるようにすることにより、移動体８５が矢印Ｍ１，Ｍ２方向に所定のストロークで移動できるようにしている。
【００２７】
この明細書では、図５と図６に示すように光学部材８０が撮像素子２２と射出面６３との間に位置している状態を挿入位置と称している。この挿入位置では、光学部材８０が撮像素子２２と対向し、撮像素子２２が光学部材８０によって覆われる。また、図６に２点鎖線Ｘで示すように、光学部材８０が撮像素子２２と射出面６３との間から退避した状態を退避位置と称する。この退避位置では、光学部材８０が撮像素子２２と対向しないため、撮像素子２２が光学部材８０によって覆われなくなる。
【００２８】
駆動機構８１は、前記移動体８５と、駆動源として機能するアクチュエータとしての前記モータ８６などによって構成されている。図５に示すようにモータ８６は、第１のプリズム３１の反射面５１と筐体２０の内壁とによって囲まれる空間Ｓに収容される。この空間Ｓは、入射光軸λ１に対して傾斜している反射面５１と筐体２０との間のデッドスペースであるから、この空間Ｓを有効に利用してモータ８６を収容することができる。
【００２９】
モータ８６の出力軸８６ａにギヤ９５が取付けられている。移動体８５にはギヤ９５と噛み合うラック部９６が設けられている。モータ８６によってギヤ９５が回転すると、移動体８５が前述の挿入位置と退避位置とにわたって、矢印Ｍ１，Ｍ２方向に移動する。
【００３０】
光学部材８０と駆動機構８１は、プリズム光学系２１の入射面５０側から見たプリズム光学系２１の投影面積の内側に配置されている。ここで言う投影面積は、第１および第２のプリズム３１，３２と絞り部材３３を入射光軸λ１に沿う方向から射出側に投影することによって得られる仮想の領域（図６に示す２点鎖線Ｌ１で囲まれる領域）である。
【００３１】
以下に、上記構成の撮像装置１０の作用について説明する。  
標準撮影かマクロ撮影かに応じて、駆動機構８１によって光学部材８０を挿入位置または退避位置に移動させる。標準撮影を行う場合には、光学部材８０を挿入位置（撮像素子２２と射出面６３との間）に挿入する。マクロ撮影を行う場合には、光学部材８０を退避位置、すなわち撮像素子２２を覆わない位置に移動させる。
【００３２】
図７は、プリズム光学系２１の一部と撮像素子２２および光学部材８０を模式的に示している。ここでは、光学部材８０が屈折率ｎ＝１．５の平板ガラスからなる場合を想定する。このプリズム光学系２１は、撮像素子２２と射出面６３との間に光学部材８０を挿入したきに、プリズム光学系２１の焦点ｆが撮像素子２２の受光面（図７にＰ１で示す位置）に形成されるように、射出面６３と撮像素子２２との位置関係が設定されている。
【００３３】
撮像素子２２と射出面６３との間から光学部材８０を退避させると、撮像素子２２が光学部材８０と対向しなくなるため、射出面６３から撮像素子２２に向かう光は空気のみを通る。このためプリズム光学系２１の焦点ｆが、射出面６３寄りの位置（図７にＰ２で示す位置）に移動する。移動量ΔＬは、光学部材８０の厚みをＴ、屈折率をｎとするとき、ΔＬ＝Ｔ・［１−（１／ｎ）］で求められる。従って焦点ｆの移動距離（Ｐ２−Ｐ１）は、光学部材８０の厚さＴが０．３ｍｍ、屈折率ｎが１．５の場合、約０．１ｍｍである。
【００３４】
一般の共軸光学系の場合には、マクロ撮影時にレンズを被写体（対物）側に数ｍｍ以上繰り出す必要がある。これに対し自由曲面を用いるプリズム光学系２１の場合、約０．１ｍｍ移動させるだけでマクロ撮影に必要な光学条件を満たすことができる。
【００３５】
このため、撮像素子２２と射出面６３との間に光学部材８０が存在するときに、プリズム光学系２１の焦点ｆを撮像素子２２の受光面に合わせておけば、その位置が標準撮影に適した光学条件となる。また光学部材８０を撮像素子２２と射出面６３との間から退避させれば、焦点ｆが対物側に０．１ｍｍ移動し、実質的にプリズム光学系２１が対物側に移動したことになるため、マクロ撮影に適した光学条件を満たすことができる。焦点ｆの移動距離（Ｐ２−Ｐ１）は、光学部材８０の屈折率と厚さＴに応じて、最適な値を選ぶことが可能である。
【００３６】
このように構成された本実施形態の撮像装置１０によれば、駆動機構８１によって光学部材８０をプリズム光学系２１の横長方向、すなわち第１および第２のプリズム３１，３２が並ぶ方向に移動させるだけで、標準撮像位置とマクロ撮像位置とを切換えることができ、プリズム光学系２１を射出光軸λ２方向に移動させる必要がない。このためプリズム光学系２１と駆動機構８１の構成が簡単なものですむ。
【００３７】
しかも本実施形態の撮像装置１０の光学部材８０と駆動機構８１は、プリズム光学系２１の投影面積（図６に２点鎖線Ｌ１で示す領域）の内側に収まっているため、駆動機構８１は撮像装置１０を大形化させる要因とならない。言い換えると撮像装置１０の小形化に寄与できる。また光学部材８０に単純な形状の板ガラスを用いれば、特殊な光学部材を用いる必要がなく低コストで実施可能である。
【００３８】
図８と図９は、本発明の第２の実施形態を示している。この実施形態では、駆動機構８１としてリニアアクチュエータ１００が採用されている。光学部材８０はリニアアクチュエータ１００によって、プリズム光学系２１の射出光軸λ２を横切る方向（例えば射出光軸λ２に対し直角方向）に移動する。光学部材８０と駆動機構８１は、第１の実施形態と同様に、プリズム光学系２１の投影面積（図９に２点鎖線Ｌ１で示す領域）の内側に配置されている。
【００３９】
リニアアクチュエータ１００は、直線状に形成されたステータ部１０１と、ステータ部１０１に沿って直線方向に移動可能なスライド部材１０２とを有している。ステータ部１０１には、図示しない３種類の電極が形成されている。これらの電極にそれぞれプラス，マイナス，ゼロの電位を印加すると、スライド部材１０２に設けられた抵抗体にステータ部１０１の電位と反対の誘導電荷（マイナス，プラス，ゼロ）が付与される。
【００４０】
このような誘導電荷が発生した状態で、ステータ部１０１の前記電極の電位を切換えると、前記誘導電荷は元の状態にとどまろうとするため、同一電荷どうしによる反発力が働くと同時に、電極間で引力が作用する。このことによりスライド部材１０２が１ピッチ移動したのち、スライド部材１０２がステータ部１０１に吸着される。この一連のプロセスを繰返すことにより、スライド部材１０２を図９中の矢印Ｍ１またはＭ２の方向に移動させることができる。それ以外の構成は第１の実施形態と共通であるため説明は省略する。
【００４１】
この第２の実施形態も、光学部材８０を前記挿入位置と退避位置とに切換えることにより、標準撮影とマクロ撮影に適した光学条件を得ることができる。そして光学部材８０と駆動機構８１をプリズム光学系２１の投影面積内に収めることができるため、撮像装置１０をコンパクトに構成することができる。また、光学部材８０をリニアアクチュエータ１００のスライド部材１０２に直接取付けるため、第１の実施形態の駆動力伝達系８７を省略することができ、駆動機構８１の簡略化と小形化に寄与できる。
【００４２】
なお、駆動機構８１は前述のリニアアクチュエータ１００に限ることはなく、例えばリニア超音波モータでもよいし、あるいは直線移動形のソレノイドを用いてもよい。要するに、第１および第２のプリズム３１，３２が並ぶ方向に移動できるような可動部材を有するリニアアクチュエータであればよい。
【００４３】
図１０と図１１は本発明の第３の実施形態を示している。この実施形態の駆動機構８１は、回動可能なアーム１１０を有している。このアーム１１０に光学部材８０が取付けられている。アーム１１０は、モータ１１１によって、図１１に矢印Ｒ１で示す第１の方向と、矢印Ｒ２で示す第２の方向に回転駆動される。すなわちこの光学部材８０も、プリズム光学系２１の射出光軸λ２を横切る方向（例えば射出光軸λ２に対し直角方向）に移動する。モータ１１１は図示しない制御回路によって、第１または第２の方向への回転が制御される。
【００４４】
アーム１１０が第１の方向に回転したとき、光学部材８０が撮像素子２２と対向することにより、光学部材８０によって撮像素子２２が覆われる。アーム１１０が第２の方向に回転したとき、光学部材８０は撮像素子２２を覆わない位置に退避する。モータ１１１は、筐体２０の外側に形成されたモータ取付部１１２に固定されている。それ以外の構成は第１の実施形態と共通であるため説明は省略する。
【００４５】
このように構成された第３の実施形態によれば、アーム１１０の一部とモータ１１１を筐体２０の外側に配置できるため、筐体２０の大きさに関して制限を受けることなく駆動機構８１を配置することができる。また、モータ１１１の出力軸に取付けたアーム１１０の回転運動を光学部材８０に直接伝達できるため、駆動機構８１の構成が簡単となる。
【００４６】
図１２は本発明の第４の実施形態を示している。この実施形態は、第１のアーム１２１と第２のアーム１２２を有している。これらのアーム１２１，１２２は、モータ１１１の出力軸に取付けられて、第１の方向Ｒ１と第２の方向Ｒ２に回転させることができる。第１のアーム１２１には第１の実施形態と同様の光学部材８０が取付けられている。第２のアーム１２２には、光学部材の他の例として、例えば減光用の光学フィルタ１２３が取付けられている。それ以外の構成は第３の実施形態と共通であるため説明は省略する。
【００４７】
モータ１１１によってアーム１２１，１２２を第１の方向Ｒ１に回転させると、光学部材８０が撮像素子２２と対向して撮像素子２２を覆うことにより、第１の実施形態と同様にプリズム光学系２１の焦点が第１の位置に形成される。モータ１１１によって光学部材８０を退避位置（撮像素子２２を覆わない位置）まで回転させれば、プリズム光学系２１の焦点が第２の位置に形成される。光学フィルタ１２３を撮像素子２２と対向させれば、プリズム光学系２１の射出光が減光される。
【００４８】
このような第４の実施形態によれば、光学部材８０以外に光学フィルタ１２３等の光学機能部品を追加することができる。そして光学部材８０と光学フィルタ１２３等の複数種類の光学機能部品を選択的に使用することができるため、撮像装置１０の機能をさらに多様化することができる。
【００４９】
図１３は、撮像用機器の一例として、本発明の撮像装置をカメラ付携帯電話１３０に組み込んだ例を示している。このカメラ付携帯電話１３０に、前記各実施形態で説明したプリズム光学系２１を備えた撮像装置を組込むことにより、カメラ付携帯電話１３０のさらなる小型化と薄型化および光学性能の向上が可能となる。
【００５０】
なお、この発明を実施するに当たり、プリズム光学系、光学部材、駆動機構をはじめとして、発明の構成要素をこの発明の要旨を逸脱しない範囲で種々に変更して実施できることは言うまでもない。また、プリズム光学系は２個に限らず１個あるいは３個以上のプリズムからなるものであってもよい。
【図面の簡単な説明】
【００５１】
【図１】本発明の第１の実施形態の撮像装置を備えたデジタルカメラの斜視図。
【図２】図１に示されたデジタルカメラの内部を模式的に示す断面図。
【図３】本発明の第１の実施形態を示す撮像装置の斜視図。
【図４】図３に示された撮像装置のプリズム光学系の断面図。
【図５】図３中のＦ５−Ｆ５線に沿う撮像装置の断面図。
【図６】図５中のＦ６−Ｆ６線に沿う撮像装置の断面図。
【図７】図３に示された撮像装置の一部を模式的に示す断面図。
【図８】本発明の第２の実施形態に係る撮像装置の断面図。
【図９】図８中のＦ９−Ｆ９線に沿う撮像装置の断面図。
【図１０】本発明の第３の実施形態に係る撮像装置の断面図。
【図１１】図１０中のＦ１１−Ｆ１１線に沿う撮像装置の断面図。
【図１２】本発明の第４の実施形態に係る撮像装置の断面図。
【図１３】カメラ付き携帯電話の一例を示す斜視図。
【符号の説明】
【００５２】
１０…撮像装置
２０…筐体
２１…プリズム光学系
２２…撮像素子
３１…第１のプリズム
３２…第２のプリズム
８０…光学部材
８１…駆動機構
８６…モータ
１００…リニアアクチュエータ
【図１】
2006119298.tif 000003
【図２】
2006119298.tif 000004
【図３】
2006119298.tif 000005
【図４】
2006119298.tif 000006
【図５】
2006119298.tif 000007
【図６】
2006119298.tif 000008
【図７】
2006119298.tif 000009
【図８】
2006119298.tif 000010
【図９】
2006119298.tif 000011
【図１０】
2006119298.tif 000012
【図１１】
2006119298.tif 000013
【図１２】
2006119298.tif 000014
【図１３】
2006119298.tif 000015